(57)【要約】【課題】ユーザが、複数の画像を時系列で見ることができ、且つ、複数の画像のうちの重要な画像を一見して把握することができる画像表示装置を提供すること。【解決手段】本発明の画像表示装置は、表示部（３０）と、制御部（１１）と、表示制御部（１５）とを具備している。前記制御部（１１）は、一画面表示指示に応じて、ｎ個（ｎは２以上の整数）の画像に対して、前記ｎ個の画像の各々に定義された重要度などの指標に基づいて前記ｎ個の画像の各々を表示する大きさを決定し、前記ｎ個の画像を前記決定された大きさで一画面内に時系列に配列する。前記表示制御部（１５）は、前記ｎ個の画像を表す画面を前記表示部（３０）に表示する。【選択図】図１
2008092133.tif 000002
【特許請求の範囲】
【請求項１】
表示部と、
一画面表示指示に応じて、ｎ個（ｎは２以上の整数）の画像に対して、前記ｎ個の画像の各々に定義された指標に基づいて前記ｎ個の画像の各々を表示する大きさを決定し、前記ｎ個の画像を前記決定された大きさで一画面内に所定の順番で配列する制御部と、
前記ｎ個の画像を表す画面を前記表示部に表示する表示制御部と
を具備する画像表示装置。
【請求項２】
請求項１に記載の画像表示装置において、
前記制御部は、
前記ｎ個の画像に定義された指標に基づいてそれぞれ前記ｎ個の画像の大きさを決定し、前記決定された大きさが表示において不適切と判断される画像があった場合に当該画像の表示を調整する表示画像調整部と、
前記表示部の表示領域に収まるように、前記表示画像調整部により調整された大きさで前記ｎ個の画像を所定の順番で配列する画像配列部と
を具備する画像表示装置。
【請求項３】
請求項２に記載の画像表示装置において、
前記表示画像調整部は、前記ｎ個の画像の各々の大きさを決定する際に、表示領域の大きさに依存しない論理的な仮の大きさとして決定し、
前記画像配列部は、前記決定された画像の仮の大きさで画像の配列を決定した後、表示領域に収まるように仮の大きさを実際の大きさに変換する
画像表示装置。
【請求項４】
請求項３に記載の画像表示装置において、
前記画像配列部は、前記画像の仮の大きさに基づき画像を配列する矩形の大きさを複数通り検証し、その中で前記表示領域の縦横比に最も近い矩形の配置方法を採用する
画像表示装置。
【請求項５】
請求項２〜４のいずれかに記載の画像表示装置において、
前記画像配列部により前記ｎ個の画像が前記表示領域に配列されたとき、前記表示領域は、前記ｎ個の画像が配列された配列領域と、前記配列領域以外の余白領域とを含み、
前記制御部は、
前記余白領域が少なくなるように、前記画像配列部により配列された前記ｎ個の画像の各々の大きさを調整する余白調整部
を更に具備する画像表示装置。
【請求項６】
請求項５に記載の画像表示装置において、
前記余白調整部は、前記ｎ個の画像に対して調整された画像の大きさが、元の画像の大きさと縦横比が異なる場合に、前記調整された画像の大きさの縦横比に合うように画像をトリミングして縦横比を合わせる
画像表示装置。
【請求項７】
表示部に接続されたコンピュータを用いる画像表示方法であって、
一画面表示指示に応じて、ｎ個（ｎは２以上の整数）の画像に対して、前記ｎ個の画像の各々に定義された指標に基づいて前記ｎ個の画像の各々を表示する大きさを決定し、前記ｎ個の画像を前記決定された大きさで一画面内に所定の順番で配列する制御ステップと、
前記ｎ個の画像を表す画面を前記表示部に表示する表示制御ステップと
を具備する画像表示方法。
【請求項８】
請求項７に記載の画像表示方法の各ステップを前記コンピュータに実行させるコンピュータプログラム。
【発明の詳細な説明】
【技術分野】
【０００１】
本発明は、画像を表す画像データを表示する画像表示装置に関する。
【背景技術】
【０００２】
デジタルカメラの普及に伴い、デジタルカメラにより被写体が撮影された画像を表示する装置が開発されている。
【０００３】
例えば、ユーザは、デジタルカメラに蓄積された複数の画像を表示部に表示したい場合、装置にデジタルカメラと表示部とを接続し、装置に表示指示を与える。この場合、装置は、表示指示に応じて、デジタルカメラに蓄積された複数の画像を表示部に表示する。しかし、ユーザが装置を操作して、複数の画像を１番目から最終番目まで表示部に表示させていては、ユーザにとって操作の負担が大きくなってしまう。複数の画像が一画面で表示部に表示されることにより、この負担が軽くなる。
【０００４】
そこで、複数の画像を一画面で表示部に表示させる画像表示装置が開発されている。ユーザは、画像表示装置を操作して、一画面表示指示を与える。この場合、画像表示装置は、一画面表示指示に応じて、複数の画像を表す画面（一画面）を表示部に表示する。これにより、ユーザは、操作の負担が軽減され、一画面で全体像が直感的にすばやく把握できるようになる。しかし、複数の画像の中には、ユーザにとって思い入れのある画像や、ユーザにとって思い出となる画像のように、重要な画像が含まれている。このため、複数の画像の各々の大きさが同じ場合、見栄えとして、ユーザにとって単調なイメージを与えてしまう。
【０００５】
特開２００４−８８４５４号公報（特許文献１）に記載された技術として、重要な画像を大きく表示する情報表示システムが記載されている。この情報表示システムでは、複数の重要度に基づいてそれぞれ複数の画像の大きさを調整し、複数の画像を大きい順に並び替えて一画面で表示部に表示する。このように、重要な画像を大きくしつつ全体を一画面内に表示することで、ユーザは、重要な画像がどれかが一見して分かるようになる。ところで、複数の画像は、デジタルカメラにより１番目から最終番目まで時系列に撮影されている。このため、複数の画像を大きい順に並び替えて一画面で表示部に表示する場合、ユーザは、複数の画像を時系列で見ることができない。
【０００６】
【特許文献１】特開２００４−８８４５４号公報
【発明の開示】
【発明が解決しようとする課題】
【０００７】
本発明の課題は、ユーザが、複数の画像を時系列で見ることができ、且つ、複数の画像のうちの重要な画像を一見して把握することができる画像表示装置を提供することにある。
【課題を解決するための手段】
【０００８】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【０００９】
本発明の画像表示装置は、表示部（３０）と、制御部（１１）と、表示制御部（１５）とを具備している。
前記制御部（１１）は、一画面表示指示に応じて、ｎ個（ｎは２以上の整数）の画像（１−１〜１−ｎ）に対して、前記ｎ個の画像（１−１〜１−ｎ）の各々に定義された重要度などの指標に基づいて前記ｎ個の画像（１−１〜１−ｎ）の各々を表示する大きさを決定し、前記ｎ個の画像（１−１〜１−ｎ）を前記決定された大きさで一画面内に所定の順番で（例えば時系列に）配列する。
前記表示制御部（１５）は、前記ｎ個の画像（１−１〜１−ｎ）を表す画面を前記表示部（３０）に表示する。
【００１０】
本発明の画像表示装置において、前記制御部（１１）は、表示画像調整部（１２）と、画像配列部（１３）とを具備している。
前記表示画像調整部（１２）は、前記ｎ個の画像（１−１〜１−ｎ）に定義されたｎ個の指標に基づいてそれぞれ前記ｎ個の画像（１−１〜１−ｎ）の大きさを決定し、前記決定された大きさが表示において不適切と判断される画像があった場合に当該画像の表示を調整する。
前記画像配列部（１３）は、前記表示部の表示領域に収まるように、前記表示画像調整部（１２）により調整された大きさで前記ｎ個の画像（１−１〜１−ｎ）を所定の順番で（例えば時系列に）配列する。
【００１１】
本発明の画像表示装置において、前記表示画像調整部（１２）は、前記ｎ個の画像（１−１〜１−ｎ）の各々の大きさを決定する際に、表示領域の大きさに依存しない論理的な仮の大きさとして決定する。
前記画像配列部（１３）は、前記決定された画像の仮の大きさで画像の配列を決定した後、表示領域に収まるように仮の大きさを実際の大きさに変換する。
【００１２】
本発明の画像表示装置において、前記画像配列部（１３）は、前記画像の仮の大きさに基づき画像を配列する矩形の大きさを複数通り検証し、その中で前記表示領域の縦横比に最も近い矩形の配置方法を採用する。
【００１３】
本発明の画像表示装置において、前記画像配列部（１３）により前記ｎ個の画像（１−１〜１−ｎ）が前記表示領域に配列されたとき、前記表示領域は、前記ｎ個の画像（１−１〜１−ｎ）が配列された配列領域と、前記配列領域以外の余白領域とを含んでいる。
前記制御部（１１）は、更に、余白調整部（１４）を具備している。
前記余白調整部（１４）は、前記余白領域が少なくなるように、前記画像配列部（１３）により配列された前記ｎ個の画像（１−１〜１−ｎ）の各々の大きさを調整する。
【００１４】
本発明の画像表示装置において、前記余白調整部（１４）は、前記ｎ個の画像（１−１〜１−ｎ）に対して調整された画像の大きさが、元の画像の大きさと縦横比が異なる場合に、前記調整された画像の大きさの縦横比に合うように画像をトリミングして縦横比を合わせる。
【００１５】
本発明の画像表示方法は、上記の表示部（３０）と記憶部（４０）とに接続されたコンピュータ（１０）を用いる。そのコンピュータ（１０）には、上記の制御部（１１；１２、１３、１４）、表示制御部（１５）であるコンピュータプログラムが備えられている。この場合、本発明の画像表示方法は、上記のコンピュータプログラム（１２、１３、１４、１５）により実現される。
【発明の効果】
【００１６】
以上により、本発明の画像表示装置によれば、ユーザが、複数の画像を所定の順番で（例えば時系列に）で見ることができ、且つ、複数の画像のうちの重要な画像を一見して把握することができる。
【発明を実施するための最良の形態】
【００１７】
以下に添付図面を参照して、本発明の画像表示装置について詳細に説明する。
【００１８】
図１は、本発明の画像表示装置の構成を示している。本発明の画像表示装置は、制御装置１０と、入力部２０と、表示部３０と、記憶部４０とを具備している。
【００１９】
制御装置１０は、コンピュータであり、制御部１１と、表示制御部１５とを具備している。制御部１１は、表示画像調整部１２、画像配列部１３、余白調整部１４を含んでいる。制御部１１は、入力部２０、記憶部４０、表示制御部１５に接続されている。表示制御部１５は、表示部３０に接続されている。
【００２０】
制御部１１と表示制御部１５は、ハードウェア（例示；回路）、ソフトウェア（例示；コンピュータプログラム）により実現される。制御部１１、表示制御部１５がソフトウェアである場合、例えば、制御部１１がＣＰＵ（Ｃｅｎｔｒａｌ  Ｐｒｏｃｅｓｓｉｎｇ  Ｕｎｉｔ）であり、表示画像調整部１２、画像配列部１３、余白調整部１４、表示制御部１５は、ＣＰＵが実行するコンピュータプログラムである。そのコンピュータプログラムは、例えば、記憶部４０に格納されている。
【００２１】
記憶部４０は、画像データベース４１と、表示画像リスト４２とを具備している。
【００２２】
画像データベース４１には、複数の画像（静止画像）が格納されている。本発明の画像表示装置では、所定の順番（例えば時系列）で撮影された画像や分類された画像に適用可能であり、画像が動画や文書等の他のデータにおいても、応用が可能である。
例えば、画像データベース４１には、複数の画像として、時系列で撮影された１番目からｎ番目（ｎは２以上の整数）までのｎ個の画像が格納される。
また、１番目からｎ’番目（ｎ’は２以上の整数）までこの順に時系列で撮影され、且つ、１つの分野に分類されたｎ’個の画像が格納される。
分野としては、特定の時間、特定の人物、特定の物が例示される。分類としては、物理フォルダでの分類（日付、ファイル名等）や、顔認識・類似検索等の分類が例示される。分類方法としては、ユーザが分類する形態、自動的に分類（自動分類）する形態が例示され、後者の場合、制御部１１は、上記の自動分類を実行する分類部（図示しない）を更に含んでいる。
【００２３】
表示画像リスト４２には、表示する画像に対応した指標が格納されている。
指標は、画像を表示する際の大きさを決定する値となる。この指標としては、例えば、画像の重要度、画像のサイズ、画像の参照回数などが考えられる。
また、何らかの方法で画像が分類され、分類されたグループの代表画像が画像データベースに格納された場合、その指標として、代表画像が示すグループに所属する画像の枚数や、グループに所属する画像に対して重要度やサイズ・参照回数などを合計した値を指標とすることが考えられる。
これらの指標は、予め決められていてもよいし、ユーザの好みにより決められてもよい。
【００２４】
以下、時系列で撮影されたｎ個の画像を用いて説明する。
【００２５】
図２は、本発明の画像表示装置の動作を示すフローチャートである。
【００２６】
ユーザは、入力部２０を操作して、時系列で撮影された１番目からｎ番目までのｎ個の画像を画像データベース４１に取り込む（ステップＳ１）。ユーザは、入力部２０を操作して、一画面表示指示を行なう（ステップＳ２）。制御部１１（表示画像調整部１２、画像配列部１３、余白調整部１４）は、一画面表示指示に応じて、ｎ個の画像を表示部３０の表示領域に一画面で配置するために、ｎ個の画像に対して、後述の表示配列処理を実行する（ステップＳ３）。表示制御部１５は、表示配列処理（ステップＳ３）により決定された配列に従って、ｎ個の画像を表す画面（一画面）を表示部３０に表示する（ステップＳ４）。ユーザが、ｎ個の画像以外の他の画像について一画面表示指示を行なった場合（ステップＳ５−ＮＯ、Ｓ２）、制御部１１は、表示配列処理を実行し（ステップＳ３）、ユーザが、表示終了指示を行なった場合（ステップＳ５−ＹＥＳ）、表示制御部１５は、表示部３０への画像の表示を終了する。
【００２７】
図３は、上記の表示配列処理（ステップＳ３）を示すフローチャートである。
【００２８】
まず、表示画像調整部１２は、重要なものや枚数の多いものが直感的・視覚的に把握できるように、指標の値から各画像の仮の大きさを決定する（ステップＳ１１）。この場合、表示画像調整部１２は、表示画像リスト４２に格納されたｎ個の画像に対応するｎ個の指標を選択する。表示画像調整部１２は、ｎ個の指標に基づいて、それぞれｎ個の画像の仮の大きさを決定する。ここで、表示画像調整部１２は、指標の値に応じた大きさで、かつ画像の元の縦横比と同じになるように、各画像の仮の大きさを決定する。その際に、最大と最小で差が出過ぎないよう調整する。
表示画像調整部１２は、一画面に収めたときに、小さい画像が小さくなりすぎないように、表示部３０に表示する画像の数を調整する（ステップＳ１２）。
【００２９】
次に、画像配列部１３は、大きさ・縦横比の異なる画像を、後述の余白領域をなるべく少なくして並べる。また、配置の際に、事前に決められた順番を維持して左上から右下へ並ぶようにする。表示部３０の表示領域の縦横比に近い並べ方を行い、表示領域に収まるように大きさを調整する（ステップＳ１３）。この場合、画像配列部１３は、表示部３０の表示領域に収まるように、表示画像調整部１２により調整されたｎ個の画像を時系列に配列する。
【００３０】
次に、余白調整部１４は、生じた余白領域に対して、画像の面積比を保ちながら画像を縦または横に伸ばし、余白領域をさらに少なくする（ステップＳ１４）。上記のように、画像配列部１３によりｎ個の画像が表示部３０の表示領域に配列されたとき、表示領域は、ｎ個の画像が配列された配列領域と、配列領域以外の余白領域とを含んでいる。余白調整部１４は、その余白領域が少なくなるように、画像配列部１３により配列されたｎ個の画像の各々の大きさを更に調整する。その際に、余白調整部１４は、画像を表示する大きさの縦横比の変化を一定以下に抑える。
次に、余白調整部１４は、画像の重要部分が含まれて表示部３０に表示されるように画像の表示位置を調整する（ステップＳ１５）。調整した画像の大きさは、元の画像と縦横比が異なる場合があるため、画像を表示する際に、表示する大きさの縦横比に合うように画像をトリミングして縦横比を合わせる。
【００３１】
表示配列処理（ステップＳ３）について詳細に説明する。
なお、以下の説明にて、ｍａｘ（Ａ、Ｂ、・・・Ｚ）は、Ａ、Ｂ、・・・Ｚのうち最も大きい値を返す関数、ｍｉｎ（Ａ、Ｂ、・・・Ｚ）は、Ａ、Ｂ、・・・Ｚのうち最も小さい値を返す関数、ｓｑｒｔ（Ａ）は、Ａの平方根の値を返す関数、ｓｕｍ（Ａ、Ｂ、・・・Ｚ）は、Ａ、Ｂ、・・・Ｚの合計値を返す関数とする。
【００３２】
図４は、ステップＳ１１、Ｓ１２の処理を示すフローチャートである。
例えば、図９に示されるように、ｎを１０とし、ｎ個の画像を画像１−１〜１−１０と称する。図１０に示されるように、ｎ個（ｎ＝１０）の指標を、それぞれ、“１００”、“２０”、“４８”、“４０”、“６０”、“３０”、“２０”、“１２”、“６”、“１”とする。また、表示部４０の表示領域の大きさを、横×縦（ドット）とした場合、“１０００×６００”とする。
【００３３】
まず、ステップＳ１１の処理について説明する。この処理では、表示画像調整部１２が、重要度などの指標に応じて、画像１−１〜１−１０の表示される面積が変わるように、指標が表す値から各画像１−１〜１−１０の仮の大きさを決定する。
【００３４】
表示する画像１−１〜１−１０の中で、指標の最大値をＮｍａｘ“１００”、最小値をＮｍｉｎ“１”とし、画像１−ｉ（ｉは１≦ｉ≦ｎを満たす整数）の元の画像の大きさ（縦横ピクセル数）を（ＯＸ、ＯＹ）、画像１−ｉに対する第ｉ指標をＮとしたとき、仮の大きさ（Ｘ、Ｙ）を求める（ステップＳ２１）。
【００３５】
ここで、仮の大きさは、指標による画像間の面積比を見るためのものであるため、ある定数Ｓを基準となる面積の値として定める。また、指標が最大の画像と最小の画像とで、大きさに差が出過ぎないように、面積の差が最大ａ倍になるようにする。
なお、指標Ｎの値は正の値で、この値が大きいほど仮の大きさの面積を大きくするものとする。指標の値としては、ユーザが画像に付けた評価、画像の解像度、ある画像との類似度などがある。
【００３６】
指標の値がＮｍｉｎのとき、面積がＳ、指標の値がＮｍａｘのとき、面積がＳ×ａ以下となるようにする。
指標の値と面積の比率ｂ＝ｍｉｎ（（ａ−１）／（Ｎｍａｘ−Ｎｍｉｎ）、１／Ｎｍｉｎ）とし、
Ｘ＝ｓｑｒｔ（Ｓ×（ｂ×（Ｎ−Ｎｍｉｎ）＋１）×（ＯＸ／ＯＹ））、Ｙ＝ｓｑｒｔ（Ｓ×（ｂ×（Ｎ−Ｎｍｉｎ）＋１）×（ＯＹ／ＯＸ））
とする。
または、指標の差でＮｍａｘがＮｍｉｎのａ倍より小さいとき、指標の値がＮｍａｘのときの面積はＳ×ａより小さくなるが、表示の差を大きくするため、Ｎｍａｘのときに面積がＳ×ａになるようにしてもよい。
このときは、上記の式で、指標の値と面積の比率ｂ＝（ａ−１）／（Ｎｍａｘ−Ｎｍｉｎ）とすればよい。
図９の例の場合、ｎ個（ｎ＝１０）の仮の大きさは、指標の値から、横×縦（ドット）でそれぞれ、“１００×１００”、“５０×４０”、“８０×６０”、“５０×８０”、“１００×６０”、“５０×６０”、“５０×４０”、“３０×４０”、“３０×２０”、“１０×１０”と計算される。なお、仮の大きさは、表示部４０の表示領域に表示するときの実の大きさではなく、上記の指標に従った論理的なサイズである。
【００３７】
次に、ステップＳ１２の処理について説明する。この処理では、表示画像調整部１２が、仮の大きさから表示領域に表示したときの大きさを推定し、画像１−１〜１−１０の中から、表示の大きさで不適切な画像が出ないように調整する。
【００３８】
ここで、表示の大きさで不適切な画像としては以下の３種類とし、これらの画像を表示対象から除外するか大きさを調整する。
（１）画像の縦横比が４倍より大きい差がある画像。
（２）解像度が低いにも関わらず表示上の大きさが大きくなり、画面上でぼやけてしまうと予想される画像。
（３）表示領域上に表示される大きさが小さくなりすぎると予想される画像。
【００３９】
まず、（１）の画像を除外するため、画像１−１〜１−１０の縦横比を判定する。画像１−ｉ（ｉは１≦ｉ≦ｎを満たす整数）の仮の大きさを（Ｘ、Ｙ）とすると、Ｙ／Ｘ＞４、または、Ｙ／Ｘ＜０．２５であれば、その画像は縦横比の差が大きすぎると判定し、表示対象から除外する（ステップＳ２２）。
【００４０】
次に、（２）および（３）の画像を除外または大きさの調整をする。処理中、（２）に該当すると判定された画像には実寸フラグを付けることとする。最初はどの画像にも実寸フラグは付いていない状態である。
【００４１】
まず、実寸フラグの付いていない画像に対して、仮の大きさの面積の合計Ｔを求める（ステップＳ２３）。
ここで、実寸フラグの付いていない画像の仮の大きさを、（Ｘａ１、Ｙａ１）、（Ｘａ２、Ｙａ２）、・・・（Ｘａｉ、Ｙａｉ）とすると、Ｔ＝Ｓｕｍ（Ｘａ１×Ｙａ１、Ｘａ２×Ｙａ２、・・・、Ｘａｉ×Ｙａｉ）
となる。この場合、Ｔ＝（１００×１００）＋（５０×４０）＋（８０×６０）＋（５０×８０）＋（１００×６０）＋（５０×６０）＋（５０×４０）＋（３０×４０）＋（３０×２０）＋（１０×１０）＝３３７００である。
【００４２】
次に、画像１−１〜１−１０を表示領域上で表示するときの、表示領域上の面積の推定値を求める。画像１−１〜１−１０を表示領域に表示する際に、仮に画像１−１〜１−１０を隙間なく表示するとした場合、仮の大きさの合計値と表示領域の大きさから、画像１−１〜１−１０が表示領域上でどのくらいの大きさになるかの推定値が求められる（ステップＳ２４）。
ここで、実寸フラグの付いた画像の、表示領域上で占める面積の合計Ｔ２を求める。
実寸フラグの付いた画像の元の大きさを、（ＯＸｂ１、ＯＹｂ１）、（ＯＸｂ２、ＯＹｂ２）、・・・（ＯＸｂｊ、ＯＹｂｊ）とすると、
Ｔ２＝Ｓｕｍ（ＯＸｂ１×ＯＹｂ１、ＯＸｂ２×ＯＹｂ２、・・・ＯＸｂｊ×ＯＹｂｊ）
となる。
【００４３】
実寸フラグの付いた画像は、表示領域上でその面積を占めるため、表示領域のそれ以外の部分を実寸フラグの付いていない画像で占めることとなる。よって、表示領域の大きさを、（ＡＸ、ＡＹ）とすると、実寸フラグの付いていない画像（Ｘｋ、Ｙｋ）の面積の推定値Ｓｋは、
Ｓｋ＝（ＡＸ×ＡＹ−Ｔ２）×（Ｘｋ×Ｙｋ）／Ｔ
で求められる。
【００４４】
次に、これらの実寸フラグの付いていない画像に対し、元画像の解像度が低いにも関わらず表示上の大きさが大きくなり、画面上でぼやけてしまうと予想される画像があるかを判定し（ステップＳ２５）、それらの画像を縮小する処理を行う。面積の推定値Ｓｋが、元画像のＯＸｋ×ＯＹｋより大きい場合（ステップＳ２５−ＹＥＳ）、画面上でぼやけると予想されると判定し、この画像に実寸フラグをつける（ステップＳ２９）。
これを、実寸フラグの付いていない画像に対して判定する。
【００４５】
上記で、いずれかの画像に新たに実寸フラグをつけた場合（ステップＳ２５−ＮＯ、Ｓ２６−ＹＥＳ）、それにより実寸フラグの付いていない画像の面積が変化するため、再度、実寸フラグの付いていない画像の面積の推定値Ｓｋを求めて判定を行う処理に戻る（ステップＳ２３〜Ｓ２５）。
【００４６】
新たに実寸フラグを付けた画像がない場合（ステップＳ２６−ＮＯ）、次の処理に移る。
【００４７】
次に、実寸フラグの付いている画像については、仮の大きさ（Ｘｋ、Ｙｋ）と面積の推定値Ｓｋが正しく設定されていないため、この値を設定する（ステップＳ２７）。
この計算は、
Ｓｋ＝ＯＸｋ×ＯＹｋ
Ｘｋ＝ｓｑｒｔ（Ｓｋ×Ｔ／（ＡＸ×ＡＹ−Ｔ２）×（ＯＸｋ／ＯＹｋ））
Ｙｋ＝ｓｑｒｔ（Ｓｋ×Ｔ／（ＡＸ×ＡＹ−Ｔ２）×（ＯＹｋ／ＯＸｋ））
となる。
【００４８】
次に、画像１−１〜１−１０の中から、表示領域上に表示される大きさが小さくなりすぎると予想される画像がないかを判定する（ステップＳ２８）。
表示対象の画像１−１〜１−１０の中で、面積の推定値Ｓｋが最小の値Ｓｍｉｎを求め、その面積Ｓｍｉｎが規定値より小さければ（ステップＳ２８−ＹＥＳ）、該当する画像１つを表示対象から除外する（ステップＳ３０）。例えば、規定値（規定の大きさ）を、横×縦（ドット）とした場合、“５０×５０”とした場合、画像１−１０における面積は、Ｓｍｉｎ＝（１０００×６００／３３７００）×（１０×１０）＝１７８０であり、規定値２５００よりも小さいので、削除される。
除外することにより、表示する画像が減り、他の画像の面積が変化するため、再度、実寸フラグの付いていない画像の面積の推定値Ｓｋを求めて判定を行う処理に戻る（ステップＳ２３〜Ｓ２５）。
そして、面積の推定値の最小の値Ｓｍｉｎが規定値以上になる（ステップＳ２８−ＮＯ）、つまり、表示領域上に表示される大きさが小さくなりすぎると予想される画像がなくなった時点で終了する。
【００４９】
なお、本実施例では、面積の推定値を余白領域がないと仮定して計算したため、実際には余白領域が生じたときに誤差が生じるが、小さい画像が識別できるかどうかや、画像がぼやけているかどうかの境界は曖昧であるため、問題はない。
【００５０】
次に、ステップＳ１３の処理について説明する。図５は、ステップＳ１３の処理を示すフローチャートである。この処理では、画像配列部１３が、表示画像の並べ方を決定し、画像１−１〜１−９の仮の大きさを最適な大きさに変更する。仮の大きさで決定した大きさの比を保ちながら画像１−１〜１−９を表示領域上に全て表示し、一見して全体が分かるように画像を並べる。
【００５１】
大きさ・縦横比の異なる画像を、隙間を少なく矩形に並べる方法として、図１２に示されるように、画像を縦に並べた列→それを横に並べた行→それを縦に並べる、という構成で、左上から右下に向かい、画像を順番に並べる。これを横の長さを変えた複数パターンで検証し、並べた結果が元の表示領域の縦横比に最も近い並べ方を採用するという方法を採る。
画像１−１〜１−９の大きさを、それぞれ、（横幅、縦幅）で、（Ｘ１、Ｙ１）、（Ｘ２、Ｙ２）、・・・（Ｘｎ、Ｙｎ）（ｎを９とする）とする。そして、図１１に示されるように、これらの画像を配置した矩形の大きさを（ＬＸ、ＬＹ）とし、ＬＸを変更したときのＬＹの値を計算し、その縦横比が表示領域の縦横比に最も近くなるときの（ＬＸ、ＬＹ）の値を採用する。
【００５２】
まず、ＬＸの取りうる値の範囲を求める（ステップＳ３１）。この場合、図１４Ａ〜図１４Ｃに示されるように、ＬＸの値は、全ての画像１−１〜１−９を横一列に並べる場合（１００＋５０＋８０＋５０＋１００＋５０＋５０＋３０＋３０＝５４０）から、全ての画像１−１〜１−９を縦一列に並べる場合（１００）までの、ｍａｘ（Ｘ１、Ｘ２、・・・Ｘｎ）からｓｕｍ（Ｘ１、Ｘ２、・・・Ｘｎ）までの間の値を取りうる。よって、ＬＸの取りうる値の範囲は、１００から５４０までと求められる。
【００５３】
次に、ＬＸの値を取りうる値の範囲内で変えながらＬＹの値を求めるために、ＬＸの値をまず範囲内の一つの値に設定する（ステップＳ３２）。この場合、ＬＸの値は１００から５４０までの値を取るため、例えば、まずＬＸを最小値の１００にしてＬＹの値を求め、ＬＸの値を順次大きくしていき、最大値の５４０になるまで繰り返してもよいし、逆に最大値の５４０にしてから順次小さくしていき、最小値の１００になるまで繰り返してもよい。あるいは、中間の値から始めてもよい。
【００５４】
次に、ＬＸの値をステップＳ３２で決めた値にしたときの、ＬＹの値を求める（ステップＳ３３）。図６は、ステップＳ３３の処理を示すフローチャートである。
【００５５】
まず、図１３に示されるように、これから画像を配置する行の縦幅の基準となる値ＬＹ１を決め、その行に左上から画像を並べる。ＬＹ１は、これから並べる画像をＬＸの幅に達するまで横一列に並べたときに、仮の大きさで最も縦幅が大きい値とする（ステップＳ４１）。また、以下の説明で、ＬＹの値は既に配置が確定した行の縦幅であり、現在配置を行っている行の中でそれまでに並べ終えた行の大きさを（ＬＸ１、ＬＹ１）とし、更にその行の中で画像を縦に並べた列の大きさを（ＬＸ２、ＬＹ２）とする。
次の画像をどの位置に配置するかを決める。次の画像の大きさを（Ｘｋ、Ｙｋ）とする（ステップＳ４２）。
【００５６】
まず、現在の列の下に画像が置けるかを判定する（ステップＳ４３）。
【００５７】
Ｘｋ≦ＬＸ−ＬＸ１かつＹｋ≦ＬＹ１−ＬＹ２であれば（ステップＳ４３−ＹＥＳ）、現在の列の下に画像が配置できる（ステップＳ５１）。ここで、ＬＸ２＝ｍａｘ（ＬＸ２、Ｘｋ）、ＬＹ２＝ＬＹ２＋Ｘｋとし、次の画像に対して（ステップＳ４９−ＹＥＳ）、ステップＳ４２〜を実行する。
【００５８】
現在の列に画像が配置できない場合（ステップＳ４３−ＮＯ）、その画像の前までで列を確定する（ステップＳ４４）。ここで、ＬＸ１＝ＬＸ１＋ＬＸ２、ＬＹ２＝０とする。
【００５９】
そして、画像が現在の行の新しい列として置けるかを判定する（ステップＳ４５）。
【００６０】
Ｘｋ≦ＬＸ−ＬＸ１かつＹｋ≦ＬＹ１である場合（ステップＳ４５−ＹＥＳ）、現在の行の新しい列に置くことが可能である（ステップＳ５２）。ここで、ＬＸ２＝Ｘｋ、ＬＹ２＝Ｙｋとする。その後、次の画像に対して（ステップＳ４９−ＹＥＳ）、ステップＳ４２〜を実行する。
【００６１】
Ｘｋ＞ＬＸ−ＬＸ１である場合（ステップＳ４５−ＮＯ、Ｓ４６−ＹＥＳ）、現在の行の右端にこの画像を置くスペースがないため、そこで行を確定し、新しい行に移る（ステップＳ５３）。ここで、ＬＹ＝ＬＹ＋ＬＹ１とする。また、ＬＸ１＝０とし、新しい行の縦幅の基準値ＬＹ１を設定する。ＬＹ１は、これから新しい行に並べる画像をＬＸの幅に達するまで横一列に並べたときに、仮の大きさで最も縦幅が大きい値とする。そして、現在の画像を新しい行の最初の列に置く（ステップＳ５４）。ここで、ＬＸ２＝Ｘｋ、ＬＹ２＝Ｙｋとする。その後、次の画像に対して（ステップＳ４９−ＹＥＳ）、ステップＳ４２〜を実行する。
【００６２】
Ｘｋ≦ＬＸ−ＬＸ１かつＹｋ＞ＬＹ１である場合（ステップＳ４５−ＮＯ、Ｓ４６−ＮＯ）、画像単体の縦の長さが初めに決めた基準値のＬＹ１より大きいため、ＬＹ１をＹｋに再設定し（ステップＳ４７）、現在の行の最初の画像までさかのぼり新しいＬＹ１の値で並べなおす（ステップＳ４８）。その後、次の画像に対して、ステップＳ４２〜を実行する。
【００６３】
以上のように画像１−１〜１−９を並べ、最後の画像１−９まで並べ終えたら、ＬＹ＝ＬＹ＋ＬＹ１として最終的なＬＹの値を確定し、ＬＸの値についても、配置時の余白領域により横幅が短くなった可能性があるため、最大となる行の横幅の値に修正し（ステップＳ５０）、（ＬＸ、ＬＹ）の値を記憶部４０に格納する（ステップＳ３４）。
このように、ＬＸの値を決めたときの、画像１−１〜１−９を配置した矩形の大きさ（ＬＸ、ＬＹ）の値を求める。ＬＸを他の値にして検証する場合（ステップＳ３５−Ｙｅｓ）、ＬＸを別の値に設定して（ステップＳ３８）、（ＬＸ、ＬＹ）の値を求める処理を繰り返す（ステップＳ３３〜）。
なお、検証するＬＸの値の個数については、処理を少なくして粗く検証する場合は個数を少なくすればよく、細かく検証する場合は個数を多くすればよい。例えば図１５Ａ〜図１５Ｆに示されるように、ＬＸの値を１００、１５０、２００、２５０、３００、３５０としたとき、画像１−１〜１−９を配置した矩形の大きさ（ＬＸ、ＬＹ）の値は、それぞれ、（１００、４４０）、（１５０、２８０）、（２００、２２０）、（２３０、１６０）、（２３０、１６０）、（３３０、１６０）が求まる。
【００６４】
以上のように（ＬＸ、ＬＹ）の値の組を計算し、これらのうち元の表示領域の縦横比と最も近い値の組を採用する（ステップＳ３５−ＮＯ、Ｓ３６）。
そして、表示領域に収まるように全体を拡大または縮小し、画像の仮の大きさを実際の大きさに変更する。元の表示領域を（ＡＸ、ＡＹ）とすると、拡大縮小の倍率αは、ＡＸ÷ＬＸ、ＡＹ÷ＬＹのうちの小さいほうの値となる。そして、各画像１−１〜１−９の大きさ（Ｘ、Ｙ）を、（Ｘ×α、Ｙ×α）に変更して確定の大きさとする（ステップＳ３７）。
以上のようにして、仮の大きさで決めた面積比を保ちながら、画像１−１〜１−９を表示領域内に納めた並べ方が決定される。
【００６５】
次に、ステップＳ１４の処理について説明する。図７は、ステップＳ１４の処理を示すフローチャートである。この処理では、図１６に示されるように、各画像の面積比を保ちながら画像の縦横比を変えて余白を少なくし、表示領域の中で画像を表示する部分の面積を大きくする。ここでは、余白調整部１４が、ステップＳ１３による並べ方で生じた余白領域をなるべくなくし、表示される画像１−１〜１−９が大きくなるようにする。これは、次の方法で行う。
【００６６】
まず、画像１−１〜１−９の配列の現在の状態を退避する。即ち、記憶部４０に一時保存する（ステップＳ６１）。
【００６７】
次に、現在の画像配列に対し、各画像の面積比を保ちながら余白が少なくなるよう調整する。まず、画像を縦に並べた列内の余白領域を少なくする。図１７Ａに示されるように、画像の横幅が列の横幅より小さい場合、その画像を横方向に伸ばし、他の画像と面積比が保たれるように縦方向に縮める（ステップＳ６２）。
そして、図１７Ｂに示されるように、列の下に余白領域がある場合、その列の画像を縦方向に伸ばし、他の列と面積比が保たれるように逆に横方向を縮める（ステップＳ６３）。
そして、図１７Ｃに示されるように、各列に対してこれを行った後、行の右に余白領域がある場合、行全体を横方向に伸ばし、他の行と面積比が保たれるように逆に縦方向を縮める（ステップＳ６４）。
そして、図１７Ｄに示されるように、各行に対してこれを行った後、表示領域の下に余白領域がある場合、その余白領域をなくすため、各行を縦方向に伸ばす（ステップＳ６５）。なお、ここでは、全ての画像を同じ比率で縦方向に伸ばすため、横方向に縮める必要はない。
この手順により、画像１−１〜１−９の面積比を保ちながら余白領域を少なくする。
【００６８】
ただし、縦横比が大きく（元の画像の２倍以上に）変わらないようにするため、上記手順を全体に対して少しずつ（例えば行または列を伸ばすときに、一度に伸ばす長さを元の長さの１０％以内にする）行い、余白領域がなくなるか、縦横比が大きく変化する画像が出るまで繰り返す（ステップＳ６６、Ｓ６７−ＮＯ、Ｓ６８−ＮＯ）。縦横比は、例えば、元の画像の縦横比から２倍以上変わらないようにする。
【００６９】
計算式で表現した場合、以下のようになる。
【００７０】
図１７Ａに示される方法（余白領域を縮める手順１）では、各列に対して、まず列内の余白領域を少なくする。
列の横幅をＣＸとし、列内の画像（Ｘｊ、Ｙｊ）〜（Ｘｋ、Ｙｋ）に対して各画像の横の余白領域があるかを調べ、余白領域があった場合、画像を横に伸ばして余白領域を少なくする。
一度に画像を伸ばす最大の割合をａとする（例えば一度に伸ばす長さを元の長さの１０％以内にする場合、ａ＝１．１０とする）。
もし、Ｘｉ＜ＣＸであれば、画像を横に伸ばす割合はａ２＝ｍｉｎ（ＣＸ／Ｘｉ、ａ）となり、Ｘｉ＝Ｘｉ×ａ２、Ｙｉ＝Ｙｉ／ａ２とする。
これを列内の画像に対して行う。そしてそれを各行の各列に対して行う。
【００７１】
次に、図１７Ｂに示される方法（余白領域を縮める手順２）では、各列の縦に余白領域があるかを調べ、余白領域があった場合、列を縦に伸ばして余白領域を少なくする。
行の縦幅をＲＹとし、行内の各列の縦幅（列内の画像の縦幅の合計）がＲＹより小さいかを調べる。
もし、ｓｕｍ（Ｙｊ、・・・Ｙｋ）＜ＲＹであれば、
列を縦に伸ばす割合は、ａ２＝ｍｉｎ（ＲＹ／ｓｕｍ（Ｙｊ、・・・Ｙｋ）、ａ）となり、列内の画像（Ｘｊ、Ｙｊ）〜（Ｘｋ、Ｙｋ）に対して、Ｘｉ＝Ｘｉ／ａ２、Ｙｉ＝Ｙｉ×ａ２とする。
これを行内の各列に対して行う。そしてそれを各行に対して行う。
【００７２】
次に、図１７Ｃに示される方法（余白領域を縮める手順３）では、行の横に余白領域があるかを調べ、余白領域があった場合、行を横に伸ばして余白領域を少なくする。表示領域の横幅をＬＸとし、行内の列の大きさを（ＣＸｍ、ＣＹｍ）〜（ＣＸｏ、ＣＹｏ）とする。
もし、ｓｕｍ（ＣＸｍ、・・・ＣＸｏ）＜ＬＸであれば、
行を横に伸ばす割合は、ａ２＝ｍｉｎ（ＬＸ／ｓｕｍ（ＣＸｍ、・・・ＣＸｏ）、ａ）となり、行内の画像に対して、Ｘｉ＝Ｘｉ×ａ２、 Ｙｉ＝Ｙｉ／ａ２とする。
これを各行に対して行う。
【００７３】
最後に、図１７Ｄに示される方法（余白領域を縮める手順４）では、表示領域の縦に余白領域があるかを調べ、余白領域があった場合、各行を縦に伸ばして余白領域を少なくする。表示領域の縦幅をLYとし、行の大きさを（ＲＸ１、ＲＹ１）〜（ＲＸｐ、ＲＹｐ）とする。
もし、ｓｕｍ（ＲＹ１、・・・ＲＹｐ）＜ＬＹであれば、列を縦に伸ばす割合は、ａ２＝ｍｉｎ（ＬＹ／ｓｕｍ（ＲＹ１、・・・ＲＹｐ）、ａ）となり、全画像に対して、Ｙｉ＝Ｙｉ×ａ２とする。ここでは、全画像を同じ比率で縦方向に伸ばすため画像間の面積比は変わらず、横方向に縮める必要はない。
【００７４】
以上の処理を行った後、画像の縦横比が大きく変わっていないかを調べ、大きく変わっている画像があった場合（ステップＳ６７−ＹＥＳ）、退避していた画像１−１〜１−９の配列の状態を呼び出し、それを最終的な画像配列として採用する（ステップＳ６９）。
【００７５】
例えば画像の縦横比の変更を元の縦横比の２倍以下にするのであれば、各画像に対して、画像の元の縦横比ｂ＝ＯＹｉ／ＯＸｉ、現在の画像の縦横比ｃ＝Ｙｉ／Ｘｉとを比べ、ｃ＜０．５×ｂまたはｃ＞２×ｂとなった画像があった場合、画像の縦横比が大きく変わった画像があるため、処理を終了し（ステップＳ６７−ＹＥＳ）、現在の画像１−１〜１−９の配列の状態として、退避していた画像１−１〜１−９の配列の状態を呼び出し、それを最終的な画像配列として採用する（ステップＳ６９）。
【００７６】
大きく変わっている画像がない場合は上記の処理を繰り返し、図１８に示されるように、画像の縦横比が大きく変わった画像があるか、余白領域がなくなるまで（ステップＳ６７−ＮＯ、Ｓ６８−ＮＯ）、ステップＳ６１〜の実行を繰り返す。余白領域が全てなくなった場合は（ステップＳ６８−Ｙｅｓ）、現在の画像配列の状態を最終的な画像配列として採用する（ステップＳ７０）。
【００７７】
次に、ステップＳ１５の処理について説明する。図８は、ステップＳ１５の処理を示すフローチャートである。この処理では、余白調整部１４が、ステップＳ１４で余白領域を調整した結果に従って、表示する画像１−１〜１−９の部分を調整する。ステップＳ１４で調整した画像の大きさは、元の画像と縦横比が異なる場合があるため、画像を表示する際に、表示する大きさの縦横比に合うように画像をトリミングして縦横比を合わせる。
【００７８】
まず、画像の元の大きさと、その画像の、ステップＳ１４で決めた表示する大きさを取得する（ステップＳ７１）。
【００７９】
次に、画像の重要領域を決定し（ステップＳ７２）、その重要領域を含み、表示の大きさの縦横比に合う範囲を、画像の表示範囲とする（ステップＳ７３）。画像の重要領域は、例えば以下のように判断する。
ステップＳ１４で画像の縦横比の変化の範囲を１／２〜２倍とした場合、図１９に示されるように、画像の中心の矩形で面積１／４の領域（縦横の長さを１／２とした中心部分）を重要領域とする（ステップＳ７２）。こうすれば、縦横比の変化が１／２〜２倍以内であれば、図２０に示されるように、この重要領域を含めて画像をトリミングして、表示する大きさの縦横比に合う範囲を画像の表示範囲とすることができる（ステップＳ７３）。
また、ステップＳ７２において、顔認識で人物の顔が検出された画像については、その検出領域を重要領域してもよく、さらに画像の中心の矩形と顔検出領域とを合わせた領域を重要領域としてもよい。また、分類方法が顔認識である場合は、画像を表示する部分をその人物の顔を中心とした範囲としてもよい。
【００８０】
その後、次の画像に対して（ステップＳ７４−ＹＥＳ）、ステップＳ７１〜を実行し、次の画像がない場合は終了する。
以上のようにして画像の指標に応じた大きさで配列して表示することで、図２１に示されるように、時系列で並べられた画像中で重要な画像は大きく表示されるというように、並べ替えと異なる方法で別の指標に基づく表現の変化を加えることができ、目的の画像を見つけやすくなる。
【００８１】
以上の説明により、本発明の画像表示装置によれば、ユーザが、画像を時系列で見ることができ、且つ、画像のうちの重要な画像を一見して把握することができる。
【００８２】
ここで、本発明による技術と、特開２００４−８８４５４に記載された技術との相違点について述べる。
【００８３】
引例では、レイアウトを決定する際に元映像の縦横比を考慮せず、正方形の領域を配置する方法を採っている。
一方、本発明では、元画像の縦横比を考慮しながら配置を行う。画像は縦長・横長等が混在することが多く、それらを考慮することで余白領域が少なくなり、画面領域を有効に使用できる。
【００８４】
引例では、重要度（得点）を計算しても、配置の際にその得点に比例した領域とならない。一番得点の高いものの大きさが決まると、以降はそれの一辺の長さを１／２、１／３、１／４というように、１／ｎにした正方形をｎ個並べる。そのため、例えば、重要度が、大きいものから１．０、０．９、０．５、・・・と計算された場合でも、重要度に比例された大きさにはならず、１×１の正方形の横に、０．５×０．５の正方形を縦に並べるといった並べ方になり、最終的に重要度に比例した大きさにならない。
一方、本発明では、最初に指標から決めた面積比を保ちながら配置を行う。
【００８５】
引例では、配置のアルゴリズム上、重要度の大きいものから並べ、一番重要度の高いものを左上に並べることになる。
一方、本発明はそれに限らず、例えば、順番は時系列で並べながら、大きさを重要度によって変えるといったことが可能である。
【００８６】
引例では、表示する映像が多すぎたり、重要度の値に差がありすぎたりして、小さい映像が識別できないほど小さくなってしまう場合が考慮されていない。
一方、本発明では、仮の大きさを決めるときに面積比を一定以下に抑え、最小の画像が小さくなってしまうときに表示画像を調整する処理を行う。
【００８７】
引例では、映像を表示する領域が元の映像と縦横比が異なっていた場合に、トリミングして縦横比を合わせ、余白領域を少なくすることは行わない。
一方、本発明では、許容範囲内で表示する画像をトリミングして余白領域を少なくする処理を行う。これにより、より画面領域を有効に使用することが可能となる。
【図面の簡単な説明】
【００８８】
【図１】図１は、本発明の画像表示装置の構成を示している。
【図２】図２は、本発明の画像表示装置の動作を示すフローチャートである。
【図３】図３は、本発明の画像表示装置の動作として表示配列処理（ステップＳ３）を示すフローチャートである。
【図４】図４は、表示配列処理（ステップＳ３）内のステップＳ１１、Ｓ１２の処理を示すフローチャートである。
【図５】図５は、表示配列処理（ステップＳ３）内のステップＳ１３の処理を示すフローチャートである。
【図６】図６は、ステップＳ１３の処理内のステップＳ３３の処理を示すフローチャートである。
【図７】図７は、表示配列処理（ステップＳ３）内のステップＳ１４の処理を示すフローチャートである。
【図８】図８は、表示配列処理（ステップＳ３）内のステップＳ１５の処理を示すフローチャートである。
【図９】図９は、本発明の画像表示装置の動作を説明するための図である。
【図１０】図１０は、本発明の画像表示装置の動作を説明するための図である。
【図１１】図１１は、本発明の画像表示装置の動作を説明するための図である。
【図１２】図１２は、本発明の画像表示装置の動作を説明するための図である。
【図１３】図１３は、本発明の画像表示装置の動作を説明するための図である。
【図１４Ａ】図１４Ａは、本発明の画像表示装置の動作を説明するための図である。
【図１４Ｂ】図１４Ｂは、本発明の画像表示装置の動作を説明するための図である。
【図１４Ｃ】図１４Ｃは、本発明の画像表示装置の動作を説明するための図である。
【図１５Ａ】図１５Ａは、本発明の画像表示装置の動作を説明するための図である。
【図１５Ｂ】図１５Ｂは、本発明の画像表示装置の動作を説明するための図である。
【図１５Ｃ】図１５Ｃは、本発明の画像表示装置の動作を説明するための図である。
【図１５Ｄ】図１５Ｄは、本発明の画像表示装置の動作を説明するための図である。
【図１５Ｅ】図１５Ｅは、本発明の画像表示装置の動作を説明するための図である。
【図１５Ｆ】図１５Ｆは、本発明の画像表示装置の動作を説明するための図である。
【図１６】図１６は、本発明の画像表示装置の動作を説明するための図である。
【図１７Ａ】図１７Ａは、本発明の画像表示装置の動作を説明するための図である。
【図１７Ｂ】図１７Ｂは、本発明の画像表示装置の動作を説明するための図である。
【図１７Ｃ】図１７Ｃは、本発明の画像表示装置の動作を説明するための図である。
【図１７Ｄ】図１７Ｄは、本発明の画像表示装置の動作を説明するための図である。
【図１８】図１８は、本発明の画像表示装置の動作を説明するための図である。
【図１９】図１９は、本発明の画像表示装置の動作を説明するための図である。
【図２０】図２０は、本発明の画像表示装置の動作を説明するための図である。
【図２１】図２１は、本発明の画像表示装置の動作を説明するための図である。
【符号の説明】
【００８９】
１−１〜１−１０    画像
１０    制御装置
１１    制御部
１２    表示画像調整部
１３    画像配列部
１４    余白調整部
１５    表示制御部
２０    入力部
３０    表示部
４０    記憶部
４１    画像データベース
４２    表示画像リスト
【図１】
2008092133.tif 000003
【図２】
2008092133.tif 000004
【図３】
2008092133.tif 000005
【図４】
2008092133.tif 000006
【図５】
2008092133.tif 000007
【図６】
2008092133.tif 000008
【図７】
2008092133.tif 000009
【図８】
2008092133.tif 000010
【図９】
2008092133.tif 000011
【図１０】
2008092133.tif 000012
【図１１】
2008092133.tif 000013
【図１２】
2008092133.tif 000014
【図１３】
2008092133.tif 000015
【図１４Ａ】
2008092133.tif 000016
【図１４Ｂ】
2008092133.tif 000017
【図１４Ｃ】
2008092133.tif 000018
【図１５Ａ】
2008092133.tif 000019
【図１５Ｂ】
2008092133.tif 000020
【図１５Ｃ】
2008092133.tif 000021
【図１５Ｄ】
2008092133.tif 000022
【図１５Ｅ】
2008092133.tif 000023
【図１５Ｆ】
2008092133.tif 000024
【図１６】
2008092133.tif 000025
【図１７Ａ】
2008092133.tif 000026
【図１７Ｂ】
2008092133.tif 000027
【図１７Ｃ】
2008092133.tif 000028
【図１７Ｄ】
2008092133.tif 000029
【図１８】
2008092133.tif 000030
【図１９】
2008092133.tif 000031
【図２０】
2008092133.tif 000032
【図２１】
2008092133.tif 000033